(57)【要約】【課題】取り付けの作業性を高めながらも表示パネルとフレームの隙間を狭くすることを目的とする。【解決手段】表示装置は、表示パネル１０と、表示パネル１０の裏面の周縁部に対向する枠状面２６を有するフレーム２４と、表示パネル１０の周縁部とフレーム２４の枠状面２６との間に介在して表示パネル１０とフレーム２４を固定する両面テープ２８と、を有する。フレーム２４は、枠状面２６の周囲から斜めに立ち上がって表示パネル１０の側方に位置する壁面３２を有する。壁面３２は、枠状面２６からの高さ方向に向かって表示パネル１０から離れるように傾く。【選択図】図１
2015148655.tif 000002
【特許請求の範囲】
【請求項１】
表示パネルと、
前記表示パネルの裏面の周縁部に対向する枠状面を有するフレームと、
前記表示パネルの前記周縁部と前記フレームの前記枠状面との間に介在して前記表示パネルと前記フレームを固定する両面テープと、
を有し、
前記フレームは、前記枠状面の周囲から斜めに立ち上がって前記表示パネルの側方に位置する壁面を有し、
前記壁面は、前記枠状面からの高さ方向に向かって前記表示パネルから離れるように傾くことを特徴とする表示装置。
【請求項２】
請求項１に記載された表示装置において、
前記表示パネルは、液晶表示パネルであって、基板と前記基板に貼りつけられた偏光板を含み、
前記偏光板は、前記基板の端部を避けて設けられていることを特徴とする表示装置。
【請求項３】
請求項１に記載された表示装置において、
前記両面テープは、前記偏光板の端部に粘着し、前記基板の前記端部に間隔をあけて対向することを特徴とする表示装置。
【発明の詳細な説明】
【技術分野】
【０００１】
本発明は、表示装置に関する。
【背景技術】
【０００２】
液晶表示装置のバックライトは、点光源を面光源に変換するための導光板を有し、導光板の端面に対向するように点光源が配置されている（特許文献１）。導光板には、光学シートが重ねられている。点光源から出射した光は、導光板の端面に入射し、内部での反射によって導光板の表面から出射して、光学シートを通って液晶表示パネルに入射する。導光板及び光学シートは、フレームに収納されている。液晶表示パネルはフレームに貼り付けられる。
【先行技術文献】
【特許文献】
【０００３】
【特許文献１】特開２０１０−６２０１６号公報
【発明の概要】
【発明が解決しようとする課題】
【０００４】
フレームには、液晶表示パネルを収容するための凹部が形成されており、言い換えると、液晶表示パネルの周囲に壁が立ち上がるようになっている。取り付けの作業性を考えると、フレームに対して斜めに液晶表示パネルを入れられることが好ましいが、そうすると、壁と液晶表示パネルとの間に隙間ができるという欠点があった。なお、液晶表示パネルに限らず、それ以外の表示パネルでもフレームに取り付けるときには同様の問題があった。
【０００５】
本発明は、取り付けの作業性を高めながらも表示パネルとフレームの隙間を狭くすることを目的とする。
【課題を解決するための手段】
【０００６】
（１）本発明に係る表示装置は、表示パネルと、前記表示パネルの裏面の周縁部に対向する枠状面を有するフレームと、前記表示パネルの前記周縁部と前記フレームの前記枠状面との間に介在して前記表示パネルと前記フレームを固定する両面テープと、を有し、前記フレームは、前記枠状面の周囲から斜めに立ち上がって前記表示パネルの側方に位置する壁面を有し、前記壁面は、前記枠状面からの高さ方向に向かって前記表示パネルから離れるように傾くことを特徴とする。本発明によれば、フレームの壁面が斜めになっているので、表示パネルを斜めにフレームに入れても、壁面の下端部は表示パネルに近くなる。したがって、取り付けの作業性を高めながらも表示パネルとフレームの隙間を狭くすることができる。
【０００７】
（２）（１）に記載された表示装置において、前記表示パネルは、液晶表示パネルであって、基板と前記基板に貼りつけられた偏光板を含み、前記偏光板は、前記基板の端部を避けて設けられていることを特徴としてもよい。
【０００８】
（３）（１）に記載された表示装置において、前記両面テープは、前記偏光板の端部に粘着し、前記基板の前記端部に間隔をあけて対向することを特徴としてもよい。
【図面の簡単な説明】
【０００９】
【図１】本発明の実施形態に係る表示装置の断面図である。
【図２】本発明の実施形態に係る表示装置の製造方法を説明するための図である。
【発明を実施するための形態】
【００１０】
以下、本発明の実施形態について図面を参照して説明する。
【００１１】
図１は、本発明の実施形態に係る表示装置の断面図である。表示装置は、表示パネル１０を有する。表示パネル１０は、液晶表示パネルである。表示パネル１０は、一対の基板１２，１４（いずれも例えばガラス基板）を有し、両者間には図示しない液晶が介在する。一方の基板１２は、図示しない薄膜トランジスタ、画素電極及び配線などを含むＴＦＴ（Thin Film Transistor）基板（又はアレイ基板）であり、他方の基板１４はカラーフィルタ基板である。基板１２，１４それぞれに偏光板１６が貼り付けられている。偏光板１６は、基板１２，１４それぞれの端部を避けて設けられている。
【００１２】
表示装置は、バックライトユニットを含む。バックライトユニットは、導光板１８を含む。導光板１８は、表示パネル１０と重なるように配置されている。導光板１８の表面は、表示パネル１０の裏面の方向を向いている。導光板１８は、図示しない発光ダイオードなどの点光源から入射した光によって表示パネル１０に向けて面発光するようになっている。つまり、点光源からの光が導光板１８で面光源に変換されて表示パネル１０に照射される。
【００１３】
表示パネル１０と導光板１８の間に、少なくとも１枚（例えば複数枚）の光学シート２０が介在する。光学シート２０は、拡散シート又はプリズムシートなどである。導光板１８の下（光学シート２０とは反対側）には反射シート２２が配置されている。
【００１４】
導光板１８は、例えば樹脂からなるフレーム２４の内側に収容される。フレーム２４は、表示パネル１０の裏面の周縁部に対向する枠状面２６を有する。表示パネル１０の周縁部とフレーム２４の枠状面２６との間に両面テープ２８が介在する。両面テープ２８は、表示パネル１０とフレーム２４を固定する。詳しくは、両面テープ２８は、偏光板１６の端部に粘着する。表示パネル１０の偏光板１６がフレーム２４に固定される。両面テープ２８は、基板１２の端部に間隔をあけて対向する。両面テープ２８は遮光性を有しており、導光板１８の光が表示パネル１０の端部に進行しないようになっている。これにより、表示パネル１０のエッジが光って見えるという不具合を防止することができる。
【００１５】
フレーム２４は、枠状面２６から立ち上がる壁部３０を有する。壁部３０は、平面図を省略するが、枠状面２６の全体を切れ目なく囲む形状であってもよいが、部分的に切断された断続的な形状であってもよい。壁部３０は、表示パネル１０の周囲を囲む壁面３２を有する。壁面３２は、枠状面２６の周囲から斜めに立ち上がって表示パネル１０の側方に位置する。壁面３２は、枠状面２６からの高さ方向に向かって表示パネル１０から離れるように傾く。したがって、表示パネル１０の上側の基板１４の端面と壁面３２との間には隙間があくようになっている。これに対して、表示パネル１０の下側の基板１２の端面（少なくとも下面に隣接する辺）は、壁面３２に接近又は接触している。これにより、表示パネル１０と壁面３２の間が連通しないようにすることも可能である。
【００１６】
図２は、本発明の実施形態に係る表示装置の製造方法を説明するための図である。本実施形態では、上述したフレーム２４に、導光板１８、光学シート２０及び図示しない光源を収容する。また、フレーム２４の、壁部３０が設けられた側とは反対側に反射シート２２を取り付ける。
【００１７】
フレーム２４の枠状面２６には両面テープ２８を貼り付ける。そして、表示パネル１０をフレーム２４に組み込む。詳しくは、表示パネル１０の一方の端部の端面を、フレーム２４の壁部３０の壁面３２に当てて、表示パネル１０の当該端部の裏面の周縁部を、枠状面２６に対向させ、両面テープ２８に粘着させる。続いて、表示パネル１０の反対側の端部（図示せず）の裏面の周縁部も、枠状面２６に接近させ、表示パネル１０の全体を、フレーム２４の壁部３０の内側に収める。
【００１８】
本実施形態によれば、フレーム２４の壁面３２が斜めになっているので、表示パネル１０を斜めにフレーム２４に入れても、壁面３２の下端部は表示パネル１０に近くなる。したがって、取り付けの作業性を高めながらも表示パネル１０とフレーム２４の隙間を狭くすることができる。
【００１９】
本発明は、上述した実施形態に限定されるものではなく種々の変形が可能である。例えば、実施形態で説明した構成は、実質的に同一の構成、同一の作用効果を奏する構成又は同一の目的を達成することができる構成で置き換えることができる。
【符号の説明】
【００２０】
１０  表示パネル、１２  基板、１４  基板、１６  偏光板、１８  導光板、２０  光学シート、２２  反射シート、２４  フレーム、２６  枠状面、２８  両面テープ、３０  壁部、３２  壁面。
【図１】
2015148655.tif 000003
【図２】
2015148655.tif 000004